(57)【要約】【課題】ケーブルの長さによりコンピュータ本体からの使用距離が限定されず、全体的に利便性を高めることができるマルチメディア操作のワイヤレスキーボードヘッドフォンセットを提供する。【解決手段】マルチメディア操作のワイヤレスキーボードヘッドフォンセットは、操作装置１の内部には、マイクロプロセッサ１１と、前記マイクロプロセッサ１１に接続され、一般のコンピュータ用キーボードに対応したキーボード入力インタフェース１２とが設けられている。前記マイクロプロセッサ１１には、再生制御インタフェース１３及び無線通信モジュール１４が接続され、前記操作装置１の外側には、ヘッドフォン用差込孔２が設けられ、前記マイクロプロセッサ１１がマウス制御ユニット３に接続されている。【選択図】図３
0003165268.tif 000002
【実用新案登録請求の範囲】
【請求項１】
操作装置１の内部には、マイクロプロセッサ１１と、前記マイクロプロセッサ１１に接続され、一般のコンピュータ用キーボードに対応したキーボード入力インタフェース１２とが設けられ、
前記マイクロプロセッサ１１には、再生制御インタフェース１３及び無線通信モジュール１４が接続され、
前記操作装置１の外側には、ヘッドフォン用差込孔２が設けられ、
前記マイクロプロセッサ１１がマウス制御ユニット３に接続されていることを特徴とするマルチメディア操作のワイヤレスキーボードヘッドフォンセット。
【請求項２】
前記マウス制御ユニット３は、前記操作装置１に外付けされ、前記操作装置１の内部に設けられた前記マイクロプロセッサ１１にそれぞれ接続されたマウス制御キー３１、加速度センサ素子３２及びジャイロセンサ素子３３を有することを特徴とする請求項１に記載のマルチメディア操作のワイヤレスキーボードヘッドフォンセット。
【請求項３】
前記マウス制御ユニット３は、前記操作装置１に外付けされ、前記マイクロプロセッサ１１にそれぞれ接続されたマウス制御キー３１及びマウス位置制御ユニット３４を有することを特徴とする請求項１に記載のマルチメディア操作のワイヤレスキーボードヘッドフォンセット。
【請求項４】
前記マウス制御ユニット３は、前記操作装置１に外付けされ、前記マイクロプロセッサ１１にそれぞれ接続されたマウス制御キー３１及びタッチコントロールモジュール３５を有することを特徴とする請求項１に記載のマルチメディア操作のワイヤレスキーボードヘッドフォンセット。
【考案の詳細な説明】
【技術分野】
【０００１】
本考案は、マルチメディア操作のワイヤレスキーボードヘッドフォンセットに関し、特に、キーボードとマウスとを一体化し、無線方式により直接コンピュータを操作したりコンピュータにデータを入力したりするとともに、ヘッドフォンを差込んで使用することができるため、コンピュータ本体からの使用距離が限定されず、全体的に利便性を高めることができるマルチメディア操作のワイヤレスキーボードヘッドフォンセットに関する。
【背景技術】
【０００２】
パーソナルコンピュータは、様々なデータを処理したり、インターネットを利用して様々な情報を得たりするのに便利であるため、各家庭の必需品の一つになっている。その上、コンピュータ装置及び各種周辺機器の急速な発展により、パーソナルコンピュータを利用して様々なマルチメディアオーディオビデオを視聴する人が徐々に増えてきている。例えば、人々は、ＹｏｕＴｕｂｅ（登録商標）などのビデオ共有サイトを利用し、コンピュータにより、様々なビデオ、音楽などを視聴することができる。コンピュータを操作する上で、キーボード及びマウスは不可欠な装置であり、初期のキーボード及びマウスは、ケーブルによりコンピュータ本体と接続されていた。キーボード及びマウスは、コンピュータ本体とケーブルを介して操作信号で通信し、コンピュータ本体を操作することができる。しかし、キーボード及びマウスは、ケーブルによりコンピュータ本体と接続されていたため、キーボード及びマウスの使用範囲はケーブルの長さにより制限を受ける上、見た目が好ましくなかった。
【０００３】
これに鑑み、ワイヤレスキーボード及びワイヤレスマウスが開発されている。ワイヤレスキーボード及びワイヤレスマウスの構造は主に、コンピュータ本体のＵＳＢポートにワイヤレス受信機（ｄｏｎｇｌｅ）を差込み、ワイヤレス受信機のそれぞれに対応し、ワイヤレスキーボード及びワイヤレスマウスを設ける。ワイヤレスキーボード及びワイヤレスマウスには、それぞれワイヤレス送信機が内蔵されている。これにより、ユーザは、ワイヤレスキーボード又はワイヤレスマウスを利用し、コンピュータ本体を操作する際、ワイヤレスキーボード又はワイヤレスマウスの操作信号がワイヤレス送信機により外部に送信され、コンピュータ本体のＵＳＢポート中に差込んだワイヤレス受信機により操作信号を受信すると、コンピュータ本体に操作信号が入力され、コンピュータ本体を操作することができる。
【０００４】
しかし、上述のワイヤレスキーボード及びワイヤレスマウスは、ケーブルによる制限を受けることがなく、無線で操作して所望の機能を得ることができたが、実際に使用する際、ワイヤレスキーボード及びワイヤレスマウスは、それぞれ分離された２つの独立した構造であるため、配置に必要な空間が十分でなかった。そのため、占有空間が大きく、ユーザが使用する際、左右の手を換えてワイヤレスキーボード及びワイヤレスマウスを操作する必要がある。さらに、ワイヤレスマウスは、従来技術と同様に、机の上面部で滑らせて操作しなければならないため、コンピュータゲームで遊ぶ際、直感的に操作することができない上、臨場感及び利便性が低く、使用が不便であった。さらに、ユーザがマルチメディアオーディオビデオを視聴したりコンピュータゲームで遊んだりするとき、大きな音により周囲の人々に迷惑がかからないように、コンピュータ本体にヘッドフォンを差込んで使用することが一般的であるが、その場合、ワイヤレスキーボード及びワイヤレスマウスの利便性が低下する虞がある。
【考案の概要】
【考案が解決しようとする課題】
【０００５】
本考案の目的は、キーボードとマウスとを一体化し、無線方式により直接コンピュータを操作したりコンピュータにデータを入力したりするとともに、ヘッドフォンを差込んで使用することができるため、ケーブルの長さによりコンピュータ本体からの使用距離が限定されず、全体的に利便性を高めることができるマルチメディア操作のワイヤレスキーボードヘッドフォンセットを提供することにある。
【課題を解決するための手段】
【０００６】
上記課題を解決するために、本考案の第１の形態によれば、操作装置１の内部には、マイクロプロセッサ１１と、前記マイクロプロセッサ１１に接続され、一般のコンピュータ用キーボードに対応したキーボード入力インタフェース１２とが設けられ、前記マイクロプロセッサ１１には、再生制御インタフェース１３及び無線通信モジュール１４が接続され、前記操作装置１の外側には、ヘッドフォン用差込孔２が設けられ、前記マイクロプロセッサ１１がマウス制御ユニット３に接続されていることを特徴とするマルチメディア操作のワイヤレスキーボードヘッドフォンセットが提供される。
【０００７】
また、前記マウス制御ユニット３は、前記操作装置１に外付けされ、前記操作装置１の内部に設けられた前記マイクロプロセッサ１１にそれぞれ接続されたマウス制御キー３１、加速度センサ素子３２及びジャイロセンサ素子３３を有することが好ましい。
【０００８】
また、前記マウス制御ユニット３は、前記操作装置１に外付けされ、前記マイクロプロセッサ１１にそれぞれ接続されたマウス制御キー３１及びマウス位置制御ユニット３４を有することが好ましい。
【０００９】
また、前記マウス制御ユニット３は、前記操作装置１に外付けされ、前記マイクロプロセッサ１１に接続されたマウス制御キー３１及びタッチコントロールモジュール３５を有することが好ましい。
【考案の効果】
【００１０】
本考案のマルチメディア操作のワイヤレスキーボードヘッドフォンセットは、キーボードとマウスとを一体化し、無線方式により直接コンピュータを操作したりコンピュータにデータを入力したりするとともに、ヘッドフォンを差込んで使用することができるため、ケーブルの長さによりコンピュータ本体からの使用距離が限定されず、全体的に利便性を高めることができる。
【図面の簡単な説明】
【００１１】
【図１】本考案の第１実施形態によるマルチメディア操作のワイヤレスキーボードヘッドフォンセットを示す正面斜視図である。
【図２】本考案の第１実施形態によるマルチメディア操作のワイヤレスキーボードヘッドフォンセットを示す裏面斜視図である。
【図３】本考案の第１実施形態によるマルチメディア操作のワイヤレスキーボードヘッドフォンセットを示すブロック図である。
【図４】本考案の第２実施形態によるマルチメディア操作のワイヤレスキーボードヘッドフォンセットを示す正面斜視図である。
【図５】本考案の第２実施形態によるマルチメディア操作のワイヤレスキーボードヘッドフォンセットを示すブロック図である。
【図６】本考案の第３実施形態によるマルチメディア操作のワイヤレスキーボードヘッドフォンセットを示す正面斜視図である。
【図７】本考案の第３実施形態によるマルチメディア操作のワイヤレスキーボードヘッドフォンセットを示すブロック図である。
【図８】本考案の一実施形態によるマルチメディア操作のワイヤレスキーボードヘッドフォンセットを使用するときの状態を示す模式図である。
【考案を実施するための形態】
【００１２】
（第１実施形態）
まず、図１〜図３を参照する。図１〜図３に示すように、本考案の第１実施形態によるマルチメディア操作のワイヤレスキーボードヘッドフォンセットは、操作装置１の内部にマイクロプロセッサ１１が設けられている。操作装置１の外側には、マイクロプロセッサ１１に接続され、キーボードによりコンピュータを操作することができるように、一般のコンピュータ用キーボードに対応したキーボード入力インタフェース１２が設けられている。マイクロプロセッサ１１には、オーディオビデオ情報を操作するために用いる再生制御インタフェース１３と、コンピュータと無線方式で通信するために用いる無線通信モジュール１４とが接続されている。操作装置１の外側には、ヘッドフォンを差込むためのヘッドフォン用差込孔２が設けられているとともに、マウスでコンピュータを操作するために用いるマウス制御ユニット３が接続されている。
【００１３】
マウス制御ユニット３は、操作装置１に外付けされ、コンピュータ用マウスを操作し、カーソルで選択することができるように、マイクロプロセッサ１１に接続されたマウス制御キー３１を有し、操作装置１内部に設けられたマイクロプロセッサ１１に接続された加速度センサ素子３２及びジャイロセンサ素子３３を有し、センサにより検出し、コンピュータ用マウスを操作してカーソルを移動させる。
【００１４】
（第２実施形態）
図４及び図５を併せて参照する。図４及び図５に示すように、本考案の第２実施形態によるマルチメディア操作のワイヤレスキーボードヘッドフォンセットのマウス制御ユニット３は、操作装置１に外付けされ、マイクロプロセッサ１１に接続されたマウス制御キー３１及びジョイスティック式のマウス位置制御ユニット３４を有する。マウス制御キー３１は、コンピュータ用マウスのカーソルを操作して選択するために用いる。マウス位置制御ユニット３４は、コンピュータ用マウスのカーソルを移動させるために用いる。
【００１５】
（第３実施形態）
図６及び図７を参照する。図６及び図７に示すように、本考案の第３実施形態によるマルチメディア操作のワイヤレスキーボードヘッドフォンセットのマウス制御ユニット３は、操作装置１に外付けされ、マイクロプロセッサ１１に接続されたマウス制御キー３１及びタッチコントロールモジュール３５を有する。マウス制御キー３１は、コンピュータ用マウスのカーソルを操作して選択するために用いる。タッチコントロールモジュール３５は、コンピュータ用マウスのカーソルを移動させるために用いる。
【００１６】
図８を参照する。図８に示すように、本考案の一実施形態によるマルチメディア操作のワイヤレスキーボードヘッドフォンセットは、操作装置１をオンすると、無線通信モジュール１４と、コンピュータ４に差込んだ無線受信機４１（即ち、ｄｏｎｇｌｅ）とを利用し、無線方式により通信して命令を伝送する。なお、無線受信機４１は、コンピュータ本体に内蔵してモジュール化してもよい。ユーザがキーボード入力インタフェース１２を使用してコンピュータを操作すると、ユーザが下した命令は、無線通信モジュール１４と、コンピュータ４に差込んだ無線受信機４１（ｄｏｎｇｌｅ）とにより無線方式で伝送され、コンピュータ４は、キーボード入力インタフェース１２により入力された命令を実行する。オーディオビデオ信号に基づいて再生する場合、操作装置１の再生制御インタフェース１３によりコンピュータ４中で再生するオーディオビデオの再生、停止、早送り、巻戻し、一時停止などの操作を行うとともに、マイクロプロセッサ１１を利用し、操作装置１の外側に設けたヘッドフォン用差込孔２にヘッドフォン５を差込むと、ユーザは、コンピュータ４で再生される様々な音楽及び音響効果を再生して聴いたり、Ｓｋｙｐｅ（登録商標）などを利用してインターネット電話で会話をすることもできる。
【００１７】
また、操作装置１上のキーボード入力インタフェース１２で命令を入力せずに、マウス制御ユニット３で操作して操作装置１を移動させることもできる。操作装置１のマイクロプロセッサ１１に接続した加速度センサ素子３２及びジャイロセンサ素子３３は、操作装置１の移動速度及び方向パラメータを検出して計算したり、操作装置１上のジョイスティック式のマウス位置制御ユニット３４を操作した場合、操作装置１上のタッチコントロールモジュール３５を利用し、タッチパネルに指先で触って移動させたりし、マイクロプロセッサ１１によりコンピュータ４上のカーソルの変位量を計算し、操作装置１上のマウス制御キー３１を操作することにより、項目を選択して設定したり、一体化したワイヤレスキーボードとワイヤレスマウスとによりコンピュータを無線方式で操作したりすることもできる。
【００１８】
上述したことから分かるように、本考案のマルチメディア操作のワイヤレスキーボードヘッドフォンセットは、従来技術と異なり、無線通信モジュールと、コンピュータに差込んだ無線受信機（即ち、ｄｏｎｇｌｅ）（無線受信機は、コンピュータ本体に内蔵してモジュール化してもよい。）とを利用して通信し、キーボード入力インタフェースによりデータを入力して命令し、コンピュータを操作すると、操作装置は移動過程において、マウス制御ユニットによりコンピュータ用マウスのカーソルの移動を操作することができるとともに、マウス制御キーを利用してコンピュータ用マウスのカーソルを操作することもできる。操作装置は、キーボードとマウスとを一体化し、無線方式により直接コンピュータを操作するとともに、ヘッドフォンを差込んで使用することができるため、ヘッドフォンセットがコンピュータ本体に接続され、ケーブルの長さにより、使用空間が限定されることを防ぎ、直接コンピュータを操作したりコンピュータにデータを入力したりすることができるため、全体的に利便性を高めることができる。
【００１９】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２０】
１      操作装置
２      ヘッドフォン用差込孔
３      マウス制御ユニット
４      コンピュータ
５      ヘッドフォン
１１    マイクロプロセッサ
１２    キーボード入力インタフェース
１３    再生制御インタフェース
１４    無線通信モジュール
３１    マウス制御キー
３２    加速度センサ素子
３３    ジャイロセンサ素子
３４    マウス位置制御ユニット
３５    タッチコントロールモジュール
４１    無線受信機
【図１】
0003165268.tif 000003
【図２】
0003165268.tif 000004
【図３】
0003165268.tif 000005
【図４】
0003165268.tif 000006
【図５】
0003165268.tif 000007
【図６】
0003165268.tif 000008
【図７】
0003165268.tif 000009
【図８】
0003165268.tif 000010